(57)【要約】【課題】重大なイベントが起こった際、操作者の手間が少なく、迅速かつ確実に重大なイベントの要因を解明できるプラント監視制御装置を提供する。【解決手段】プラントから送信されるプラント信号２とイベント名、イベント名とイベントの要因を関連付け、イベント毎に再現の優先順位を記憶させた要因管理ＤＢ１６と、プラントから送信されるプラント信号２を判定部１２に送信する制御を行う入出力制御部１１と、要因管理ＤＢ１６により再現の要否を判定する判定部１２と、判定部１２において必要と判定されたイベントを表示する表示部１５を備え、要因管理ＤＢ１６に記憶された優先順位に基づき、過去再現を行うものである。【選択図】図１
2008046938.tif 000002
【特許請求の範囲】
【請求項１】
予め設定された計器の異常値，故障名称とイベント名称，イベント名称とイベント要因が関連付けられたイベント要因情報、過去再現を行う優先度を決める優先順位を記憶している要因管理データベースと、プラントから送信される計測信号を入力し、異常値若しくは故障か否かを判断する入出力制御部と、該入出力制御部で異常値若しくは故障と判断された場合は、前記要因管理データベースに記憶された要員情報、優先順位を検索して過去再現の必要性を判断する判定部と、該判定部で過去再現が必要と判定されたイベントの過去再現を前記優先順位に従って表示する表示部を備えたプラント監視制御装置。
【請求項２】
予め設定された計器の異常値，故障名称とイベント名称，イベント名称とイベント要因が関連付けられたイベント要因情報，過去再現を行うことを設定した再現指定情報を記憶している要因管理データベースと、プラントから送信される計測信号を入力し、異常値若しくは故障か否かを判断する入出力制御部と、該入出力制御部で異常値若しくは故障と判断された場合は、前記要因管理データベースに記憶された要因情報，再現指定情報を検索して過去再現の必要性を判断する判定部と、該判定部で過去再現が必要と判定されたイベントの過去再現を表示する表示部を備えたプラント監視制御装置。
【請求項３】
前記要因管理データベースには予め設定されたイベント名称と該イベントが起こった際の配水池振分を決定する配水池管理情報が記憶され、需要量の立案計画を行う立案計画部を具備するものであって、該立案計画部により前記要因管理データベースを検索して需要量の立案計画が演算される請求項１又は２に記載のプラント監視制御装置。
【請求項４】
前記要因管理データベースを用いてイベント発生した要因を前記表示部表示する請求項１又は２に記載のプラント監視制御装置。
【請求項５】
前記要因管理データベースを用いて過去再現範囲を決定する請求項１又は２に記載のプラント監視制御装置。
【発明の詳細な説明】
【技術分野】
【０００１】
本発明は、プラント監視制御において、過去のプラントデータを自動的に検索して再現するのに好適なプラント監視制御装置に関する。
【背景技術】
【０００２】
浄水場や配水場のプラントにおいて故障等の重大なイベントが発生した場合、早急に原因を解明し、少しでも早く通常運転に復帰させることが必要である。また、重大なイベントが発生した場合においても安定して水を供給することが求められる。
【０００３】
原因解明の手段としては、過去の履歴をさかのぼり、いつイベントが発生したのか、要因は何か、そのイベントによって影響を受ける範囲を確認しなくてはならない。
【０００４】
過去の履歴をさかのぼる方法には、オンラインに表示される操作者の操作履歴やプラント各設備の故障履歴メッセージを保存しておき確認する方法、或いは過去のグラフィック画面をそのまま再現し、確認する方法がある。
【０００５】
過去のグラフィック画面を再現する方法は、履歴メッセージを表示する方法と比較すると、グラフィック画面上では故障表示を色で識別するため、同時に発生している故障情報や異常を示している計器が一目で確認することができる。また、グラフィック画面の場合、同一画面にて過去の実績値も同時に確認できるので、複数の資料を用いる必要がない。
【０００６】
このように履歴メッセージから過去の履歴を追跡し、故障等の重大なイベントの原因を解明する方法に比べ、グラフィック画面にて原因を追う方法の方が視覚的にわかりやすい利点がある。
【０００７】
過去のグラフィック画面を再現する方法として、例えば〔特許文献１〕に記載のように、ステップ方式にて再現するか、一定遅延方式にて再現するかを選択して再現を行う方法、再現範囲として開始時刻，終了時刻を指定して再現を行う方法が開示されている。
【０００８】
また、〔特許文献２〕には、故障イベントが発生した際、最初に同じ故障イベントが発生した時のデータファイルから過去の時刻データを検索する時刻指定イベント状態検索手段を用いて再現する方法が開示されている。
【０００９】
【特許文献１】特開平５−１７３７３９号公報
【特許文献２】特開平９−１６２４９号公報
【発明の開示】
【発明が解決しようとする課題】
【００１０】
従来は、過去のグラフィック画面情報，メッセージ情報を再現する場合、操作者が検索条件を入力し検索条件にあった日時の過去再現を行っていた。これは、自動的に検索して表示するために、何を出力すればよいか分らないという問題点があったためである。
【００１１】
〔特許文献１〕に開示の技術は、グラフィック画面を後から再現する際、操作者又は記憶装置にて再現を行う事例だけでなく日時も正確に記録しておく必要がある。そのため、緊急に過去を再現し、原因を解明する場合には、検索に時間がかかり対応が遅れることが懸念される。
【００１２】
〔特許文献２〕に開示の技術では、故障イベントが発生した時に過去の時刻を検索することができるようになっているが、故障イベントを具体的に指定しなければ過去の表示をすることができず、複数の故障イベントが発生した場合は、故障イベント数に合わせて検索する回数が増えるという問題がある。
【００１３】
このように、〔特許文献１〕，〔特許文献２〕に記載の従来の技術は、複数のイベントが発生した際の再現方法については、考慮されていない。また、自動的に過去再現を行う方法については何ら記載されていなく、かつイベントが発生した際の配水池への安定した需要量の供給についても考慮されていないものであった。重大なイベントが発生した際は、非日常的な動作が多くなり、捜査員も混乱するため、最適な需要量の配分を判断することが難しくなる。その結果、重大なイベントによる影響が大きくなることも考えられる。
【００１４】
本発明の第１の目的は、重大なイベントが起こった際、操作者の手間が少なく、迅速かつ確実に重大なイベントの要因を解明できるプラント監視制御装置を提供することにある。
【００１５】
本発明の第２の目的は、重大なイベントの要因の解明中も連続して安定した水の供給を行うことができるプラント監視制御装置を提供することにある。
【課題を解決するための手段】
【００１６】
上記目的を達成するために、本発明のブラント監視制御装置は、プラントから送信されるプラント信号とイベント名、イベント名とイベントの要因を関連付け、イベント毎に再現の優先順位を記憶させた要因管理ＤＢと、プラントから送信されるプラント信号を判定部に送信する制御を行う制御部と、要因管理ＤＢにより再現の要否を判定する判定部と、判定部において必要と判定されたイベントを表示する表示部を備え、要因管理ＤＢに記憶された優先順位に基づき、過去再現を行うものである。
【００１７】
又、要因管理ＤＢを用いて発生したイベントの要因を表示するものである。又、要因管理ＤＢを用いて過去再現範囲を決定するものである。又、要因管理ＤＢは、指定したイベントについての優先順位の決定に加え、入出力制御装置に送信される故障数と故障名に基づいて優先順位を決定するものである。又、要因管理ＤＢは、イベントごとに需要量を振り分ける配水池情報を格納し、自動過去再現時は、要因管理ＤＢをもとに需要量を計画立案するものである。
【発明の効果】
【００１８】
本発明によれば、複数の重大なイベントが起こった際においても早急に原因の解明，対応が行えるので、重大なイベントによる影響を最小限におさえることができる。自動過去再現時においても適正に配水池への需要量を計画できるため、連続して安定した水の供給を行うことができる。また、自動的に再現が行えるので、操作者の手間を省くことが可能であり、操作者の誤操作や誤操作による検索の遅れがなく、すぐに必要な情報を得ることができる。
【発明を実施するための最良の形態】
【００１９】
本発明の一実施例を図１から図７により説明する。図１は、本実施例のプラント監視制御装置の構成を示す構成図、図２は、プラント監視制御装置の処理の流れ図、図３は、過去再現の表示例を示す平面図、図４は、イベント情報の表示例を示す平面図、図５は、イベント要因の詳細な表示例を示す平面図、図６は、配水池情報の表示例を示す平面図、図７は、過去再現の優先順位の表示例を示す平面図である。
【００２０】
図１に示すプラント監視制御装置は、浄水プラントに適用した例を示している。図１に示すように、プラント監視制御装置１０は、各プラントに設置されている計器で計測される各種プラント計器の実績値１，各種プラントから送信されるプラント信号２を入力する入出力制御部１１，入出力制御部１１に入力された各種プラント計器の実測値１，プラント信号２を保存する履歴データベース１７(以下、履歴ＤＢ１７という)，予め設定されたイベント名称とイベントが起こった際の配水池管理情報を格納している要因管理ＤＢ１６，入出力制御部１１，履歴ＤＢ１７及び要因管理ＤＢ１６に接続され過去再現が必要か否かを判定する判定部１２，判定部１２及び要因管理ＤＢ１６と接続され配水池設備情報を見直し、需要量の立案計画を行う計画立案部１３，判定部１２が過去再現が必要であると判断した情報を保存する保存部１４，判定部１２が過去再現が必要であると判断した情報を表示する表示部１５で構成される。
【００２１】
要因管理ＤＢ１６には、予め設定された計器の異常値、故障名称とイベント名称、イベント名称とイベント要因とが関連付けられたイベント要因情報と、必ず自動的に過去再現を行うことを設定した再現指定情報が保存されている。また、複数のイベントが発生した際に過去再現を行う優先度を決めるイベントの優先順位が格納されている。
【００２２】
また、優先順位は、指定されたイベント名の他、各計器より上がってきた異常値数や故障名の和である数１により決定される。
（数１）
Ｐ＝Ｌ１×Ｎ１＋Ｌ２×Ｎ２                                        …（１）
ここで、Ｐは優先順位、Ｌ１は異常値のレベル、Ｎ１は異常値レベルＬ１の数、Ｌ２は故障の重軽によるレベル、Ｎ２は故障の重軽によるレベルＬ２の数であり、Ｐの値が大きい順に優先順位が決定される。但し、上述した要因管理ＤＢ１６内に保存されている再現指定情報が最優先で再現される。
【００２３】
又、要因管理ＤＢ１６には、予め設定されたイベント名称とイベントが起こった際の配水池振分を決定する配水池管理情報が格納されている。
【００２４】
プラントに設置された各設備の計器の計測値や故障名称がプラント監視制御装置１０の入出力制御部１１に送信され、入出力制御部１１が、設定された閾値と比較する等により、各種プラント計器の実績値１やプラントから送信されるプラント信号２が異常値や故障と判断した場合は、異常値や故障信号を判定部１２へ送信する。
【００２５】
判定部１２では、入出力制御部１１から送信されたプラント信号２からイベント名称を結び付け、このイベント名称の過去再現の必要性を履歴ＤＢ１７，要因管理ＤＢ１６を用いて判断する。判定部１２で、過去再現が必要であると判断した場合、表示部１５に表示すると共に表示した情報を保存部１４に保存する。
【００２６】
判定部１２で過去再現が必要であると判断されたこと、すなわち過去再現が起動されたことは、自動的に計画立案部１３に通知され、計画立案部１３では、要因管理ＤＢ１６に格納されているイベント名称と配水池管理情報をもとに配水池設備情報を見直し、需要量の立案計画を行う。配水量の立案計画方法には、モデル予測や過去の実績、実績値による予測方法が適用される。
【００２７】
プラント監視制御装置１０の処理フローを図２により説明する。ステップＳ１は処理の開始であり、各種プラント計器の実績値１とプラント信号２がプラント監視制御装置１０に送信された時に、実行される。
【００２８】
ステップＳ２では、入出力制御部１１で、プラント監視制御装置１０に送信された各種プラント計器の実績値１とプラント信号２の計器値が異常値であるかを判断する。異常値と判断された場合はステップＳ３に進み、正常値と判断された場合は、ステップＳ１０の終了に進み、処理を終了する。
【００２９】
ステップＳ３では、判定部１２は、入出力制御部１１から判定部１２へ送信されてきたイベントが過去再現の必要性があるか否かを判定する。要因管理ＤＢ１６に予め設定されているイベント名を参照し、設定されているイベント名と一致していれば過去再現を行う必要があると判定し、ステップＳ４に進む。一致していない場合は、過去再現を行う必要はないと判定し、ステップＳ１０に進み、処理を終了する。
【００３０】
ステップＳ４では、ステップＳ３で判断された過去再現の必要があるイベントが複数発生したか否かを判断する。イベントが複数発生している場合はステップＳ５に進み、イベント数が１個である場合は、ステップＳ６に進む。
【００３１】
ステップＳ５では、過去再現を行う優先度の高いイベントを決定する。過去再現を行う必要のある複数のイベントの優先度を要因管理ＤＢ１６に登録されている情報より優先度の高いイベントの過去再現を行う。この時、優先度が低く自動的に過去再現されないイベントは、履歴ＤＢ１７に保存され、手動操作により再現されるか、後ほど再現される。
【００３２】
ステップＳ６では、要因管理ＤＢ１６，履歴ＤＢ１７から過去再現を行うイベントの要因と要因が発生した時刻を検索する。要因管理ＤＢ１６に保存されているイベント名と要因を関連付けた情報を参照し、今回再現するイベントの要因を確認し、再現するイベントの要因がいつ発生したのかを履歴ＤＢ１７を参照し、過去再現を行う際に、どこまでさかのぼればよいのかを決定する。
【００３３】
ステップＳ６で検索されたイベント要因についての過去再現結果は、ステップＳ７で、表示部１５に表示され、ステップＳ８で、過去再現を行った履歴が保存部１４に保存される。ステップＳ９では、要因管理ＤＢ１６の配水池管理情報をもとに配水池振分の情報を見直し需要量の計画立案が行われる。
【００３４】
図３から図７は、それぞれ表示部１５への表示例を示しており、図３では、イベントが発生した時に、過去再現された表示画面を示している。この表示画面では、画面の上段に速報メッセージ欄１００及び履歴一覧ボタン１０８が、その下段にイベント情報ボタン
１０１，要因情報ボタン１０２，配水池情報ボタン１０３，再現情報ボタン１０４が表示される。浄水プラントの機器構成の表示部分の左上部には、過去再現情報メッセージ105，右下部には画面切替ボタン１０７が表示され、機器構成部分には、配水池水位異常情報１０６，ポンプ故障情報１０９が表示される。
【００３５】
速報メッセージ欄１００には、現在発生している故障情報が表示される。イベント情報ボタン１０１を選択すると、図４で示すイベント情報画面を表示する。イベント情報画面では、現在過去再現を行っているイベント情報の詳細を要因管理ＤＢ１６に予め設定されている各項目について表示する。
【００３６】
要因情報ボタン１０２を選択すると、図５に示すように、現在過去再現を行っているイベントの要因情報の詳細を表示する。この画面では、要因管理ＤＢ１６を参照し、履歴
ＤＢ１７を検索した結果が表示されている。画面展開ボタンを選択することにより要因の発生した時刻に画面展開を行う。
【００３７】
配水池情報ボタン１０３を選択すると、図６に示す配水池情報を画面表示する。この画面は、イベントによって配水池設備が使用できないときに代わりに使用する配水池設備名を表示する。「立案設定」ボタンを選択し、要因管理ＤＢ１６に予め設定されている各配水池振替情報により変更した配水池を使用して配分を行う。また、配水池設備だけでなく、受変電設備も登録することにより、停電時の電気の供給も確保することができる。
【００３８】
再現情報ボタン１０４を選択すると、図７に示す再現情報を表示する。この画面では、過去再現を行うイベントの優先順位を表示する。「再現開始」ボタンを選択すると要因管理ＤＢ１６に予め設定されている各イベント優先順位項目により、過去再現を行うイベントが変わる。
【００３９】
過去再現情報メッセージ１０５では、現在過去再現を行っているイベント名と再現を行っている年月日と時間を表示する。配水池水位異常情報１０６は、現在、配水池の水位が異常値を示していることを表示している。画面切替ボタン１０７を選択すると過去再現画面とプラント監視画面の切替えを行う。履歴一覧ボタン１０８を選択すると履歴ＤＢ１７に格納されている故障情報が表示される。ポンプ故障情報１０９は、ポンプが故障していることを表示している。
【００４０】
その他の自動過去再現装置の起動方法として、要因管理ＤＢ１６にない故障情報であった場合、故障情報が一定時間回復しない場合履歴ＤＢ１７を検索し、故障の要因情報の過去再現を行う。
【図面の簡単な説明】
【００４１】
【図１】本発明の一実施例であるプラント監視制御装置の構成を示す構成図である。
【図２】本実施例のプラント監視制御装置の処理の流れ図である。
【図３】過去再現の表示例を示す平面図である。
【図４】イベント情報の表示例を示す平面図である。
【図５】イベント要因の詳細な表示例を示す平面図である。
【図６】配水池情報の表示例を示す平面図である。
【図７】過去再現の優先順位の表示例を示す平面図である。
【符号の説明】
【００４２】
１…各種プラント計器の実績値、２…プラント信号、１０…プラント監視制御装置、
１１…入出力制御部、１２…判定部、１３…計画立案部、１４…保存部、１５…表示部、１６…要因管理ＤＢ、１７…履歴ＤＢ、１００…速報メッセージ欄、１０１…イベント情報ボタン、１０２…要因情報ボタン、１０３…配水池情報ボタン、１０４…再現情報ボタン、１０５…過去再現情報メッセージ、１０６…配水池水位異常情報、１０７…画面切替ボタン、１０８…履歴一覧ボタン、１０９…ポンプ故障情報。
【図１】
2008046938.tif 000003
【図２】
2008046938.tif 000004
【図３】
2008046938.tif 000005
【図４】
2008046938.tif 000006
【図５】
2008046938.tif 000007
【図６】
2008046938.tif 000008
【図７】
2008046938.tif 000009